(57)【要約】本発明は、本体 (8)とシェルベース (4)とを含む可分シェル (1)用のパラシュートデバイスに関し、前記パラシュートデバイスは、２つのパラシュート、パラシュートライン (13)によって前記本体 (8)に接続された第１のメインパラシュート (9)と、前記シェルベース (4)に接続された第２のパラシュート (10)を含む。【選択図】図１
2019510691.tif 000002
【特許請求の範囲】
【請求項１】
本体 (8)とシェルベース (4)とを含む可分シェル (1)用のパラシュートデバイスであって、前記パラシュートデバイスは、２つのパラシュート：パラシュートライン (13)によって本体 (8)に接続された第１のメインパラシュート (9)と、シェルベース (4)に接続された第２のパラシュート (10)とを備える、パラシュートデバイス。
【請求項２】
前記メインパラシュート (9)は第２のパラシュート (10)に収納され、前記第２のパラシュート (10)は、ベース(19)と呼ばれる前方の開放部と、シュート (20)と呼ばれる後部とを備え、ここに、前記シュート (20)は、前記シュート (20)の内側に配置された固定プレート (17)および固定ネジ (18)によって前記シェルベース (4)に接続され、前記固定プレート (17)は、固定ネジ (18)によって前記シェルベース (4)の内側に固定されて、前記シュート (20)は、前記固定プレート (17)と前記シェルベース (4)との間にしっかりと挟み込まれる、請求項１に記載のパラシュートデバイス。
【請求項３】
前記ベース(19)は、ベース(19)の外縁周りの継ぎ目に縫い込まれた伸縮性の弾力のあるラインを備え、前記シュート(20)は所定の荷重で破裂するように設計された引裂継ぎ目(21)を有する折り目を含み、前記シュート(20)は、前記ベース(19)の外縁と前記シュート(20)の内側との間に固定されたドラッグラインも(22)備えて、前記シェル(1)から分離した後に前記空気抵抗により前記ベース(19)が減速され、前記シェルベース(4)は、その慣性で、シュート(20)と反対方向に移動するのと同時に展開して、シュート(20)は裏返しになり、第2のパラシュート(10)となる、請求項２に記載のパラシュートデバイス。
【発明の詳細な説明】
【技術分野】
【０００１】
本発明は、可分シェル、例えば、照明装薬の形態の本体を含むシェル用のパラシュートデバイスに関し、前記本体は、シェルから分離した後地面への落下が減速される。
【背景技術】
【０００２】
照明装薬を含むシェルを発射した後、照明装薬は所定の高度でシェルから解放され、パラシュートが展開され、照明装薬の地面への落下が減速される。同時に、シェルベースと呼ばれるシェルの底部が解放され、これは地面に自由落下することができる。シェルベースは約0.8kgの重さがあり、100m/s以上の速度に達して、地上の人々に安全上の危険をもたらす。
【発明の概要】
【発明が解決しようとする課題】
【０００３】
本発明の第１の目的は、照明装薬およびシェルベースの両方の地面への落下を減速するように設計されたパラシュートデバイスを提供することである。
【０００４】
本発明のさらなる目的は、構成部品が少ないパラシュートデバイスを提供することにある。
【０００５】
上記の目的および、ここに列挙されていない他の目標は、本発明の独立請求項についての明細書によって十分に達成される。本発明の実施形態は、従属請求項に記載されている。
【課題を解決するための手段】
【０００６】
かくして、本発明によれば、本体とシェルベースとを含む可分シェル用のパラシュートデバイスが製造される。
【０００７】
本発明は、パラシュートデバイスが２つのパラシュート：パラシュートラインによってシェルの本体に接続された第１のメインパラシュートと、シェルのベースに接続された第2のパラシュートとを備えることを特徴とする。
【０００８】
本発明によるパラシュートデバイスの第2の実施形態によれば、第2のパラシュートはメインパラシュート用のパッキングシュートを構成し、第2のパラシュートはベースと呼ばれる前方の開放部と、シュートと呼ばれる後部とを備え、ここに、前記シュートは、シュートの内側に配置された固定プレートおよび固定ネジによって前記シェルベースに接続され、前記固定プレートは前記固定ネジによって前記シェルベースの内側に固定されて、前記シュートは固定プレートとシェルベースとの間にしっかりと挟み込まれる。
【０００９】
本発明によるパラシュートデバイスの第3の実施形態によれば、ベースは、ベースの外縁周りの継ぎ目に縫い込まれた伸縮性の弾力のあるラインを備え、シュートは所定の荷重で破裂するように設計された引裂継ぎ目を有する折り目を含み、前記シュートは、前記ベースの外縁と前記シュートの内側との間に固定されたドラッグラインも備えて、前記シェルから分離した後に前記空気抵抗により前記ベースが減速され、前記シェルベースは、その慣性で、シュートと反対方向に移動するのと同時に展開して、シュートは裏返しになり、第2のパラシュートとなる。
【００１０】
本発明は一連の利点および効果を提供し、その中で最も重要なものは以下のものである：
２つのパラシュートを含むパラシュートデバイスは、本体およびシェルベースの両方の地面への落下を減速することができて、付随的な安全装備をもたらすことを意味し、リスクの程度を低減することができることを意味する。
【００１１】
第2パラシュートをメインパラシュートのパッキングケースとして使用することで、部品点数が少なく軽量なパラシュートデバイスが提供される。
【００１２】
本発明のさらなる利点および効果は、図面の図１〜図２を参照しながら、本発明の以下の詳細な説明の検討および考察から明らかになるであろう。
【図面の簡単な説明】
【００１３】
【図１】図１は、ノーズコーン、信管、シェルケース、分離装薬、遅延装薬を有する雷管、および照明装薬を含む、可分シェル内に配置された２つのパラシュートを含むパラシュートデバイスの縦断面を概略的に示す。
【図２】図２ａ〜２ｄはパラシュートデバイスのシェルからの分離後の２つのパラシュートの展開における一連の動きを概略的に示す。
【発明を実施するための形態】
【００１４】
図１は、可分シェル1内に配置されたパラシュートデバイスの縦断面図を示す。シェル1は、シェルケース2と、ノーズコーン3と、シェルベース4と、信管5と、分離装薬6と、遅延装薬入りの雷管デバイス7と、照明装薬8の形態の本体と、２つのパラシュート：メインパラシュートと称される照明装薬8のための第１のパラシュート9および、シェルベース4のための第2のパラシュート10を含むパラシュートデバイスと、を備える。
【００１５】
図示されていない可分シェル1の第２の実施形態では、本体は、代わりに、シェル1から分離した後に減速されるべき発煙装薬を含む。
【００１６】
図示されていない可分シェル1の第３の実施形態では、本体は、代わりに、シェル1から分離した後に減速される炸薬を含む。
【００１７】
照明装薬8は、好ましくは、従来の火工剤タイプのものであり、以下では詳細には説明しない。代替として、火工照明装薬以外の種類の照明デバイス8を使用してもよい。
【００１８】
雷管デバイス7を備えた照明装薬8は、信管5および分離装薬6の後ろのシェル1の前部にある筒状スリーブ11内に固定配置されている.
【００１９】
２つのパラシュート9,10を有するパラシュートデバイスは、シェルベース4と照明装薬8を備える筒状スリーブ11との間に延在する可分管状スリーブ12内に配置される。
【００２０】
可分スリーブ12は、パラシュートデバイスを分割し、シェル1から分離された後、分離される。
【００２１】
メインパラシュート9は、第２のパラシュート10内に収納され、それによって、メインパラシュート9のパッキングシュートまたはパッキングケースを構成する。
【００２２】
メインパラシュート9は、メインパラシュート9の内部に収納されたパラシュートライン13によって、円筒スリーブ11に接続される。
【００２３】
パラシュートライン13は、スリーブ11の後端部15に配置されたボールベアリングガイドピボット14によって、照明装薬8入りのスリーブ11に接続される。
【００２４】
シェルベース4は、分離装薬6からの所定の圧縮荷重で破裂するように設計された２つ以上の破断ピン16によって、シェル1の後端に取り付けられる。
【００２５】
第2のパラシュート10は、第2のパラシュート10の内側に配置された固定プレート17および固定ネジ18によってシェルベース4に接続される。
【００２６】
固定プレート17は、固定ネジ18によりシェルベース4の内側に取り付けられ、第2のパラシュート10の後部が、固定プレート17とシェルベース4との間にしっかりと挟み込まれる。
【００２７】
シェル1の信管5は、シェル1の発射と連動して作動される。
シェル1が意図された標的領域上方の所定の高度にあるとき、信管5は、遠隔制御または事前プログラミングのいずれかによって、分離装薬6を始動し、分離装薬5の爆圧が照明装薬8を含有する筒状スリーブ11に作用し、筒状スリーブ11が、今度は、パラシュートデバイスを含有する可分スリーブ12に作用し、可分スリーブ12が、最終的にシェルベース4に作用して、シェルケース2とシェルベース4との間の破断ピン16が破裂し、照明装薬8入りの筒状スリーブ11、パラシュートデバイスを備えた可分スリーブ12およびシェルベース4がシェル1から解放される。
分離装薬6の始動と共に、照明装薬8の遅延装薬付きの雷管デバイス7もまた始動されて、照明装薬8が、シェル1からの分離後かつ特定時間の遅延後に、始動される。
【００２８】
メインパラシュート9のパッキングシュートすなわちケースを構成する第2のパラシュート10は、ベース19と呼ばれる前方の開放部と、シュート20と呼ばれる後方部とを含む。
【００２９】
シュート20は、メインパラシュート9を取り囲み、可分スリーブ12内に配置され、折り目を備える。
【００３０】
シュート20は、また、好ましくは、メインパラシュート9から分離する際に周囲の空気流からの所定の荷重で破裂するように設計されている引裂継ぎ目21を含む。
【００３１】
ベース19は、伸縮性の弾力のあるラインまたはワイヤ、好ましくは、弾力のあるラインを含み、図示されていないが、ベース19の外縁の周りの継ぎ目に縫い込まれている。
【００３２】
シュート20は、さらに、ベース19の外縁とシュート20の内側との間に固定された長手方向のドラグライン22を備えているので、ベース19は、メインパラシュート9からの第2パラシュート10の分離後、周囲の空気流のため減速し、シェルベース1がその慣性によりシュート20とは反対方向に移動すると同時に展開して、シュート20が少なくとも部分的に裏返しになり、展開されて第2のパラシュート10となる。
図２ａ〜ｄの一連の動きを参照せよ。
【００３３】
伸縮性の弾力のあるラインおよびドラグライン22は、シュート20が裏返しになり展開され、所定の方法で第2のパラシュート10となる過程の間、ベース19が形状安定性を保つのを助ける。
【００３４】
本発明は、示された実施形態に限定されず、特許請求の範囲から逸脱することなく様々な方法で変更することができる。
【図１】
2019510691.tif 000003
【図２ａ）】
2019510691.tif 000004
【図２ｂ）】
2019510691.tif 000005
【図２ｃ）】
2019510691.tif 000006
【図２ｄ）】
2019510691.tif 000007
【国際調査報告】
2019510691.tif 000008
2019510691.tif 000009
2019510691.tif 000010